(57)【特許請求の範囲】
【請求項１】
遊技領域に始動口を含む複数の入球口を配置し、
該入球口への遊技球の入球を検出する検出手段と、
前記始動口への遊技球の入球に起因して取得した乱数に基づいて、大当りを生起させるか否かの当否判定を行う当否判定手段と、
該当否判定手段による当否判定の結果に応じて選択した変動態様と図柄とを表示装置に表示する判定結果表示手段と、
複数の演出表示内容が異なる演出モードの中から前記表示装置で実施する演出モードを決定する演出モード決定手段と、を備えた遊技機において、
前記検出手段による検出を既に終了した遊技球を貯留する貯留手段と、
該貯留手段による遊技球の貯留を、所定の契機により解除する貯留解除手段と、
該解除された遊技球を、遊技者の操作に応じて複数の排出領域のいずれかに振り分ける振り分け手段と、
前記複数の排出領域のそれぞれに対応する前記演出モードを設定する演出モード設定手段と、を備え、
前記演出モード設定手段により前記複数の排出領域のそれぞれに設定された前記演出モードを報知し、
前記演出モード決定手段は、遊技球が振り分けられた前記排出領域の種類に対応して前記演出モードを決定し、
前記貯留解除手段が貯留を解除する前記所定の契機を、前記表示装置において所定の変動態様の表示が行われることとし、
前記所定の変動態様として、前記表示装置において大当りが生起する期待度が高い変動態様の表示が行われる場合は、前記演出モード設定手段により前記排出領域の一つに、大当りの期待度を示唆する演出モードが設定される
ことを特徴とする弾球遊技機。
【発明の詳細な説明】
【技術分野】
【０００１】
本発明は、遊技者によって操作可能な演出用の遊技ボタンを備えた遊技機に関するものである。
【背景技術】
【０００２】
従来のパチンコ遊技機は、遊技者が発射ハンドルを操作することで遊技球が発射され、発射ハンドルの回動量を変化させることにより発射強度を変更し、遊技領域に設けられた入賞口を狙って遊技球を発射する。発射された遊技球が始動口に入球すると乱数値を抽出し、抽出した乱数値が予め定められた値であった場合には、特別図柄の変動開始後、大当りを示す図柄で確定表示してから大入賞口が開放される大当り遊技が開始される。なお、特別図柄の擬似演出を遊技領域の中央に設けられた演出図柄表示装置で表示することによって、遊技者には擬似演出で抽選結果に対する期待感を与えている。
【０００３】
演出図柄表示装置に表示する擬似演出では、様々なリーチ演出や予告演出を行うことで当否判定の結果が大当りとなるかどうかの信頼度を示唆し、遊技者が飽きないように工夫がされている。また、近年では、遊技機が複数の演出モードを備えることによって、演出モード毎に赴きの異なるリーチ演出や予告演出を行うことでさらに飽きのこないように配慮がなされている＜特許文献１，２＞。
【先行技術文献】
【特許文献】
【０００４】
【特許文献１】特開２００６−１９８３８４号公報
【特許文献２】特開２０１３−３４５３８号公報
【発明の概要】
【発明が解決しようとする課題】
【０００５】
１台の遊技機が複数の演出モードを備えている場合、演出モードの変更は、特許文献１に記載されているように遊技者が選択して変更する構成と、特許文献２に記載されているように変動表示の開始時や遊技状態の変化時に遊技機自体が所定の条件で選択して変更するものとがある。
【０００６】
遊技者の操作によって演出モードが選択される構成の場合は、結果的に常に最も好みの演出モードを選択し続けることになってしまい、演出モードを複数備えた効果が発揮されないことが多い。また、遊技機自体が所定の条件で演出モードを切り替える構成の場合は、遊技者の好みの演出モードの遊技中はよいが、該遊技中に好みではない演出モードに強制的に変更される場合もあり、遊技者を不満を感じてしまう。
【０００７】
そこで、本願発明は、上記した問題を鑑み、複数の演出モードを備えることによる効果を好適に発揮することが可能な遊技機を提供することを目的とする。
【課題を解決するための手段】
【０００８】
請求項１記載の弾球遊技機は、
遊技領域に始動口を含む複数の入球口を配置し、
該入球口への遊技球の入球を検出する検出手段と、
前記始動口への遊技球の入球に起因して取得した乱数に基づいて、大当りを生起させるか否かの当否判定を行う当否判定手段と、
該当否判定手段による当否判定の結果に応じて選択した変動態様と図柄とを表示装置に表示する判定結果表示手段と、
複数の演出表示内容が異なる演出モードの中から前記表示装置で実施する演出モードを決定する演出モード決定手段と、を備えた遊技機において、
前記検出手段による検出を既に終了した遊技球を貯留する貯留手段と、
該貯留手段による遊技球の貯留を、所定の契機により解除する貯留解除手段と、
該解除された遊技球を、遊技者の操作に応じて複数の排出領域のいずれかに振り分ける振り分け手段と、
前記複数の排出領域のそれぞれに対応する前記演出モードを設定する演出モード設定手段と、を備え、
前記演出モード設定手段により前記複数の排出領域のそれぞれに設定された前記演出モードを報知し、
前記演出モード決定手段は、遊技球が振り分けられた前記排出領域の種類に対応して前記演出モードを決定し、
前記貯留解除手段が貯留を解除する前記所定の契機を、前記表示装置において所定の変動態様の表示が行われることとし、
前記所定の変動態様として、前記表示装置において大当りが生起する期待度が高い変動態様の表示が行われる場合は、前記演出モード設定手段により前記排出領域の一つに、大当りの期待度を示唆する演出モードが設定される
ことを特徴とする弾球遊技機である。
【０００９】
始動口への入球に起因して抽出する乱数値は、大当りを生起させるか否かの当否判定を行うための当否（大当り）判定用乱数の他に、該大当り判定用乱数の抽選結果に応じた確定表示図柄の種類と、当該確定表示図柄を導出表示するための図柄変動内容を決定するために用いる乱数であればよく、例えば大当り図柄決定用乱数、小当り図柄決定用乱数、リーチ決定用乱数、変動パターン決定用乱数としてもよい。
【００１０】
「検出手段による検出を既に終了した遊技球」とは、当否判定又は／及び賞球払い出しに関わる検出が終了した遊技球であり、貯留手段が貯留する遊技球は、当否判定又は／及び賞球払い出しといった遊技の進行に関わりのなくなった演出転動のみが実施可能な遊技球となる。また貯留手段は、一つの入球口に入球した検出済みの遊技球のみを貯留してもよいし、複数の入球口に入球した遊技球を１か所に貯留する構成としてもよい。また、貯留手段は所定数の遊技球を貯留可能な構成とし、所定数を超える遊技球は貯留されることなく遊技盤裏面に排出される構成が好適である。
【００１１】
「貯留を解除された遊技球を、遊技者の操作に応じて複数の排出領域のいずれかに振り分ける振り分け手段」は、遊技者の操作が可能な操作手段を備え、解除された遊技球を操作手段の操作に応じて転動経路が異なるようにすることで振り分け先が異なる構成としてもよいし、貯留玉の解除が可能な状態となると遊技者の操作によって貯留玉が解除され、該解除のタイミングで振り分け先が異なる構成としてもよい。
【００１２】
複数の排出領域のそれぞれに対応する演出モードの種類は固定されていてもよいし、貯留玉が解除される毎にその対応関係を異ならせる構成としてもよい。
【００１４】
貯留手段から遊技球が解除されるタイミング、即ち演出モードが移行するタイミングは、所定の変動態様が実施される場合に所定の確率で実行してもよい。
【００１６】
貯留手段から遊技球が解除されるタイミングは、大当りが生起する期待度が高い変動態様を開始した時点でもよいし、大当りが生起する期待度が高い変動態様であることが分かった時点でもよく、例えば、大当りが生起する期待度が高い変動態様をリーチＡとした場合、リーチＡの開始時に貯留を解除することによって、開始された変動がリーチＡであることを報知する構成としてもよいし、リーチＡの変動を開始（開始時点ではリーチＡに発展することはわからない）してから所定時間が経過しリーチＡに発展した時点で貯留を解除してもよい。
【００１７】
「大当りの期待度を示唆する演出モード」は、画面背景及び出現キャラクターの色，形，大きさ又はそれらの組み合わせ等によって期待度の大きさをイメージで示唆するものであってもよいし、期待度を示す文字列を表示して当該変動中の図柄の大当り期待度を示唆してもよい。
【００１８】
請求項２記載の弾球遊技機は、遊技領域に始動口を含む複数の入球口を配置し、 該入球口への遊技球の入球を検出する検出手段と、前記始動口への遊技球の入球に起因して取得した乱数に基づいて、大当りを生起させるか否かの当否判定を行う当否判定手段と、該当否判定手段による当否判定の結果に応じて選択した変動態様と図柄とを表示装置に表示する判定結果表示手段と、複数備える演出モードの中から前記表示装置で実施する演出モードを決定する演出モード決定手段と、を備えた遊技機において、前記検出手段による検出を既に終了した遊技球を貯留する貯留手段と、該貯留手段による遊技球の貯留を、所定の契機により解除する貯留解除手段と、該解除された遊技球を、遊技者の操作に応じて複数の排出領域のいずれかに振り分ける振り分け手段と、前記始動口への入球に起因して取得した乱数を、前記当否判定を実施するまで保留記憶として所定の上限数まで記憶する保留記憶手段と、 該保留記憶手段に記憶される乱数が特定の値であるか否かを前記当否判定を実施する以前に判定する先読み判定手段と、を備え、前記演出モード決定手段は、遊技球が振り分けられた前記排出領域の種類に対応して前記演出モードを決定し、前記貯留解除手段が貯留を解除する前記所定の契機を、前記先読み判定手段の判定結果が前記特定の値の場合とし、前記振り分け手段によって遊技球の振り分けが行われる前記排出領域の一つに、保留記憶の大当りの期待度を示唆する演出モードが設定されることを特徴とする弾球遊技機である。
【００１９】
保留記憶手段に記憶される保留記憶の数は、始動口への入球に基づいて増加し、保留記憶の抽選（当否判定）によって減少すればよく、保留記憶数の増減時に保留記憶数を示すコマンド（保留記憶数指示コマンド）を演出機器を制御するサブ制御装置に送信する構成が好適である。
【００２０】
先読み判定手段によって判定される特定の値とは、大当りを生起させる値としてもよく、更に大当り遊技の内容と大当り遊技終了後の遊技状態を決定する大当り図柄決定用乱数も合わせて確認した値としてもよい。その場合特定の値の内容は、例えば、１５ラウンドの大当り遊技を発生させる値や大当たり遊技終了後に高確率遊技状態に移行する値等となる。また、特定の値は、リーチ判定用乱数値又はリーチ判定用乱数値及び変動パターン決定用乱数値を確認し、当否判定結果がはずれであっても特定のリーチを示す値を特定の値としてもよい。
【００２１】
先読み判定手段による判定結果は、取得した乱数値を記憶する毎に必ず実施する構成が好適であるが、演出機器の制御を行うサブ制御装置への判定結果送信は、先読み判定手段による判定を行った毎に必ず行ってもよいし、特定の値の確認内容や先読み判定手段を行った時点の遊技状態を条件として、送信するか否かの判定を行い、送信しない場合がある構成としてもよい。これは例えば、確認内容が特定の値（例えば大当り又は特定のリーチ）を示さない場合や、現時点の遊技状態が開放延長機能作動時であった場合は、送信しない構成となる。
【００２３】
貯留手段から解除された遊技球は、遊技者の操作に応じた振り分け手段の振り分けが行われない場合は、所定の排出領域に誘導される構成であり、解除後に振り分け装置内の傾斜に沿って転動した先に所定の排出領域が配置されている構成としてもよい。
【発明の効果】
【００２４】
請求項１記載の遊技機によれば、遊技者の操作に応じた振り分けで演出モードが決定するので、個々の遊技者の好みのモードで常時遊技を進行することが可能となるが、振り分け操作の技量や解除された遊技球の転動状況によっては、振り分けに失敗して好みでない演出モードにもなるため、結果的に遊技機が備える複数の演出モードを経験することができ、複数の演出モードを備えることによる飽きがこないという効果を好適に発揮することが可能となる。
【００２５】
また、振り分けに失敗して遊技者の好みでない演出モードに変化する場合でも、遊技機自体が強制的に該変化を決定するわけではなく、遊技者の振り分け操作の結果として変化するため、好みのモードに移行させるためには、遊技者は振り分け操作に集中して楽しむことになる。
【００２７】
また、大当りが生起する期待度が高い変動態様が実行された場合に貯留が解除されるので、演出モードの変更が可能となる限られたチャンスが大当りの期待度に直結するとともに、振り分け操作によって大当りの期待度を示唆する演出モードに移行することが可能となるので、遊技者の振り分け操作の技量によって当該変動の大当たり期待度を確認することが可能となる。また、大当りの期待度を示唆する演出モードが振り分けの選択肢にある時点で大当りの可能性があることを示すため、あえて、大当りの期待度を示唆する演出モードに移行させずに他のモードにて、大当りの可能性がある演出が観たい遊技者はあえて他のモードを選択することで遊技者の好みにあわせることが可能となる。
【００２８】
請求項２記載の遊技機によれば、遊技者の操作に応じた振り分けで演出モードが決定するので、個々の遊技者の好みのモードで常時遊技を進行することが可能となるが、振り分け操作の技量や解除された遊技球の転動状況によっては、振り分けに失敗して好みでない演出モードにもなるため、結果的に遊技機が備える複数の演出モードを経験することができ、複数の演出モードを備えることによる飽きがこないという効果を好適に発揮することが可能となる。また、振り分けに失敗して遊技者の好みでない演出モードに変化する場合でも、遊技機自体が強制的に該変化を決定するわけではなく、遊技者の振り分け操作の結果として変化するため、好みのモードに移行させるためには、遊技者は振り分け操作に集中して楽しむことになる。また、大当りの期待度を示唆する演出モードに移行することが可能となるので、遊技者の技量により、先読み判定の大当り期待度を示唆することが可能となる。例え、振り分け操作に失敗したとしても、その先読み判定を行った保留記憶の大当り期待度が下がるわけではないので、遊技者が落胆することはない。また、保留記憶の大当りの期待度を示唆する演出モードが振り分けの選択肢にある時点で保留記憶の中に大当りの可能性があることを示すため、あえて、保留記憶の大当りの期待度を示唆する演出モードに移行させずに他のモードにて、当該変動ごとに大当りの可能性がある演出が観たい遊技者はあえて他のモードを選択することで遊技者の好みにあわせることが可能となる。
【図面の簡単な説明】
【００３０】
【図１】パチンコ機１の正面図。
【図２】遊技盤８の正面図。
【図３】入賞球振り分け装置１０１の構成を示す略図。
【図４】パチンコ機１の信号伝達経路を示す電気配線ブロック図。
【図５】主制御装置５０が実行する始動入賞処理を示すフローチャート。
【図６】主制御装置５０が実行する当否判定処理を示すフローチャート。
【図７】第１特別図柄と第２特別図柄の変動パターンの種類の一例を示す図表。
【図８】サブ統合制御装置５３が実行する変動指示コマンド受信処理を示すフローチャート。
【図９】サブ統合制御装置演出５３が実行する遊技ボタン操作処理１を示すフローチャート。
【図１０】サブ統合制御装置５３が実行する遊技ボタン操作有効期間処理を示すフローチャート。
【図１１】実施例１において演出図柄表示装置５４ｂで表示する演出例１。
【図１２】実施例１において演出図柄表示装置５４ｂで表示する演出例２。
【図１３】実施例１において演出図柄表示装置５４ｂで表示する演出例３。
【図１４】実施例２においてサブ統合制御装置演出５３が実行する保留数指示コマンド受信処理を示すフローチャート。
【図１５】実施例２においてサブ統合制御装置演出５３が実行する先読みモード変更処理を示すフローチャート。
【図１６】実施例２において演出図柄表示装置５４ｂで表示する演出例１。
【図１７】実施例２において演出図柄表示装置５４ｂで表示する演出例２。
【図１８】実施例２において演出図柄表示装置５４ｂで表示する演出例３。
【図１９】実施例２において演出図柄表示装置５４ｂで表示するその他の演出例。
【発明を実施するための形態】
【００３１】
以下、本発明の実施形態について図面を用いて説明する。尚、本発明の実施の形態は、下記の実施形態に何ら限定されることはなく、本発明の技術的範囲に属する限り種々の形態を採りうる。
【実施例１】
【００３２】
図１に遊技機の一種であるパチンコ機１の正面図を示し、詳細に説明する。図１に示す通り、本実施例のパチンコ機１は、大きく長方形の外枠２、前面枠３、意匠枠４ａ、意匠枠４ｂとからなる筐体にて各部を保持する構造である。
【００３３】
外枠２左側の上部には金具５ａが、下部に金具５ｂがそれぞれ設けられており、金具５ａおよび５ｂとでヒンジ機構を形成し、前面枠３は外枠２に対して開閉可能に構成され、図示しない前面枠閉鎖スイッチ３８（図４参照）が前面枠３の閉鎖状態を検出可能に装着されている。また、前面枠３左側の中部には金具５ｃが設けられ、金具５ａと金具５ｃとでヒンジ機構を形成し、意匠枠４ａは前面枠３に対して開閉可能に構成されている。さらに、金具５ｃと金具５ｂとでヒンジ機構を形成し、意匠枠４ｂは前面枠３に対して開閉可能に構成されている。
【００３４】
ヒンジ機構が形成される逆側（ここでは右側）には、外枠２と前面枠３との施錠、前面枠３と意匠枠４ａとの施錠、前面枠３と意匠枠４ｂとの施錠／解錠を行うための鍵穴６ａを有するスライド錠６が設けられている。尚、本実施例のパチンコ機１は、外枠２の左隣にＣＲプリペイドカードユニット７を設けている所謂ＣＲ機として説明するが、ＣＲプリペイドカードユニット７を設けない所謂現金機としても何ら差し支えないし、所定数の遊技球を機内に封入し、発射した遊技球を遊技機内で回収して再度発射位置へ誘導する封入式の弾球遊技機としてもよい。
【００３５】
意匠枠４ａは、後述する遊技盤８を視認可能とするために透明樹脂板またはガラス板を備える窓部９、前面枠３に設けられたスピーカ１０の前面にスピーカ１０を保護し、且つ、効果音を通すための保護音通部１１を備えている。
【００３６】
また、意匠枠４ｂは、遊技球を貯留しておくための上皿１２および下皿１３を略中央に備え、遊技者が操作可能な遊技ボタン１４（本発明の振り分け手段の一部に相当）、ＣＲプリペイドカードユニット７と後述するＣＲユニット端子板６０を介して接続される精算表示装置１５、球貸ボタン１６および精算ボタン１７を左側に備えている。本実施例では、遊技ボタン１４としてプッシュ式のボタンを採用しているが、遊技者の操作に応じた信号が検出可能な操作装置であれば、これに限るわけではない。例えば、操作方向まで検出可能な十時式のボタンでもよいし、レバータイプのスイッチでもよい。
【００３７】
前面枠３の右下側（意匠枠４ｂの右側）には、遊技球の発射強度を調節するための発射ハンドル１８が設けられており、発射ハンドル１８の近傍には、発射停止ボタン１９（図４参照）および図示しないタッチ板２０が設けられている。前面枠３の下側（意匠枠４ｂの下側）には、スピーカ１０を備えたスピーカユニット２１が設けられている。本実施例では、遊技球を機外に払出す構成の遊技機としているが、遊技機内部に封入された所定数の遊技球を循環的に使用して遊技を行う循環式遊技機としても何ら問題ない。
【００３８】
続いて、図２に遊技盤８の正面図を示し、詳細に説明する。遊技盤８には公知のガイドレール２５ａ、２５ｂによって囲まれた略円形の遊技領域２６が設けられ、図示しない多数の遊技釘が植設されている。遊技領域２６の略中央には、窓部２８ａを有する液晶枠飾り２８が設けられており、演出図柄表示装置５４ｂ（本発明の表示装置に相当）（図４参照）のＬＣＤ画面が遊技者から視認可能に構成され、図示しない公知のワープ入口、ワープ通路、ステージ等も設けられている。
【００３９】
また、窓部２８ａの上方左には、７セグメントＬＥＤ等の発光部材により構成される第１特図表示装置２９、上方右には左と同一部材の第２特図表示装置３０と、中央には４個の発光部材で構成される第２特図保留数表示装置３０ａが設けられており、窓部２８ａ下には同様に４個の発光部材で構成される第１特図保留数表示装置２９ａが設けられている。
【００４０】
液晶枠飾り２８の左右両側又は左側には後述する普通図柄作動スイッチ４２ａ（図４参照）を備える普通図柄作動ゲート４２が設けられており、下側には貯留装置１００（本発明の貯留手段に相当）を備えた入賞球振り分け装置１０１（本発明の振り分け手段に相当）（図を用いて後述）と一体となった第１始動口３１（本発明の始動口に相当）と開放時のみ入賞可能となる普通電動役物４０が第２始動口３２として設けられている。第１始動口３１に入賞した遊技球は全て貯留装置１００に向かうが既に４個の遊技球が貯留されている場合は、それ以上の遊技球が貯留されることなく遊技盤８裏面に排出される。貯留装置１００に貯留される遊技球は、当否判定及び賞球に関する検出が既に実施され遊技の進行には関知しない遊技球となる。普通電動役物４０には、７セグメントＬＥＤ等の発光部材により構成される普通図柄表示装置４１が配置されている。第２始動口３２の下方には、アタッカー式の大入賞口３３ａを備える大入賞口ユニット３３が配置され、該大入賞口ユニット３３の下方にはアウト口３４が設けられている。大入賞口３３ａの左側には４個のＬＥＤで構成される普図保留数表示装置４１ａが設けられている。
【００４１】
大入賞口ユニット３３の左右両側には、一般入賞口スイッチ３５ｂ、３５ｃ、３５ｄ、３５ｅ（図４参照）を備える一般入賞口３５ａが複数備えられる入賞口ユニット３５が設けられている。尚、一般入賞口スイッチ３５ｂ、３５ｃ、３５ｄ、３５ｅは遊技盤正面から見た一般入賞口スイッチ３５ａの位置によって区別され、右側上には一般入賞口スイッチ３５ｂ、右側下には一般入賞口スイッチ３５ｃ、左側上には一般入賞口スイッチ３５ｄ、左側下には一般入賞口スイッチ３５ｅ、が配置されている。尚、本実施例においては、普通電動役物４０は開放時のみ遊技球の入賞が可能な構成としているが、この構成に限るわけではなく、未開放時（普通電役ソレノイド４０ｂが駆動しない）でも遊技球の入球を可能とする構成でも問題ない。
【００４２】
上記のように遊技盤８を構成することによって、普通図柄作動ゲート４２に遊技球が入球（普通図柄作動スイッチ４２ａ（図４参照）が遊技球を検出）すると、普通図柄表示装置４１で普通図柄が変動表示を開始し、所定時間後に停止した普通図柄の態様に応じて、後述する普通電役ソレノイド４０ｂ（図４参照）を駆動させる。普通電役ソレノイド４０ｂを駆動させると、ほぼ同期して普通電動役物４０の羽根部材が駆動して、普通電動役物４０への入球（第２始動口スイッチ３２ａ（図４参照）での検出率）が可能となるように構成されている。
【００４３】
第１始動口３１に遊技球が入球（第１始動口スイッチ３１ａ（図４参照）が遊技球を検出）すると、第１特図表示装置２９において第１特別図柄が変動を開始し、所定時間後に停止する。また、第２始動口３２である普通電動役物４０に入球（第２始動口スイッチ３２ａ（図４参照）で遊技球を検出）すると、第２特図表示装置３０において第２特別図柄が変動表示を開始し、所定時間後に停止する。
【００４４】
第１特別図柄及び第２特別図柄の変動中は、窓部２８ａに配置された演出図柄表示装置５４ｂにおいて各々の特別図柄の変動に連動した演出態様を表示する。また、第１特別図柄と第２特別図柄は、第１始動口３１と第２始動口３２への入球順に関係なく、第２特別図柄の変動停止を優先して実施する。具体的には、第１特別図柄の保留記憶がある場合、第２特別図柄の変動が停止し且つ第２特別図柄保留記憶が無い状態となって、第１特別図柄保留記憶分の変動を開始する。尚、第１始動口と第２始動口への入球順（記憶が古い順）に変動を開始する構成としても問題ない。
【００４５】
変動後に確定表示した第１特別図柄及び第２特別図柄の態様に応じて後述する大入賞口ソレノイド３３ｃ（図４参照）を駆動させる。大入賞口ソレノイド３３ｃを駆動させると、ほぼ同期して大入賞口ユニット３３の扉部材が駆動して、大入賞口３３ａへの入球（カウントスイッチ３３ｂ（図４参照）での検出率）が可能となるように構成されている。
【００４６】
尚、遊技球が１個入賞した際に獲得する賞球数は、第１始動口３１と普通電動役物４０（第２始動口３２）は３個、大入賞口３３ａは１４個、一般入賞口３５ａは１０個に設定されている。
【００４７】
次に、図３を用いて入賞球振り分け装置１０１の機構を説明する。入賞球振り分け装置１０１は、貯留装置１００から解除された遊技球が進入する解除球転出口１０１ｈと、解除球転出口１０１ｈから進入した遊技球が転動する振り分け転動面１０１ｇと、操作有効期間中の遊技ボタン１４の操作に応じて作動する左右一対の可動片１０１ａと、遊技球を遊技盤８の裏面に排出する４個の排出領域Ａ，Ｂ，Ｃ，Ｄから構成されている。
【００４８】
それぞれの位置関係は、図３（１）（２）（３）に示すように、解除球転出口１０１ｈが遊技者から向かって左側面の奥側に配置され、振り分け転動面１０１ｇは奥から手前に遊技球が転動するように傾斜し、左右一対の可動片１０１ａは、振り分け転動面１０１ｇを遊技者に向かって転動してきた遊技球を受けるように配置されている。また、４ヶ所の排出領域Ａ，Ｂ，Ｃ，Ｄは、排出領域Ａ，Ｂ，Ｃが遊技者から向かって奥の面に均等に配置され、排出領域Ｄは可動片１０１ａよりも手前（遊技者側）に配置され左右の可動片の間をすり抜けた遊技球が排出されるようになっている。
【００４９】
上記したように、入球振り分け装置１０１の構成は、所謂ピンボールの構成と類似し、遊技球が貯留装置１００から貯留解除された場合の転動経路は、まず、解除球転出口１０１ｈから入賞球振り分け装置１０１内に進入し、遊技者側に向かって転動する。遊技者に向かって転動した遊技球は運悪く左右の可動片１０１ａの間をすり抜けて排出領域Ｄに至る場合もあるが、多くの場合は可動片１０１ａに接触することになり、接触時に遊技者によって遊技ボタン１４が操作されると、遊技球は可動片１０１ａに跳ね返されて排出領域Ａ，Ｂ，Ｃのいずれかに入り、遊技盤８の裏面に排出される。なお、本実施例においては、左右一対の可動片１０１ａは遊技ボタン１４の操作に応じて左右同一の動作を行うが、左の可動片用と右の可動片用の遊技ボタンを設けて、左右独立して作動させる構成としてもよい。
【００５０】
４個の排出領域Ａ，Ｂ，Ｃ，Ｄには、進入した遊技球を検出するための検出スイッチが設けられ、すべての検出スイッチは、演出機器を制御するサブ統合制御装置５３に接続されている（図４参照）。
【００５１】
続いて、図４にパチンコ機１の電気配線を示すブロック図を示し、詳細に説明する。尚、このブロック図には、煩雑になる電源回路に関する記載は行わないが、電源が必要な制御装置若しくはアクチュエータ類には電源装置から直接的または間接的に供給される構成となっている。
【００５２】
図４に示す通り、主制御装置５０の入力端には、遊技盤中継端子板６２を介して第１始動口３１に入球した遊技球を検出する第１始動口スイッチ３１ａ（本発明の検出手段に相当）と、第２始動口３２となる普通電動役物４０に入球した遊技球を検出する第２始動口スイッチ３２ａと、普通図柄作動ゲート４２に入球した遊技球を検出する普通図柄作動スイッチ４２ａと、大入賞口３３ａに入球した遊技球を検出するカウントスイッチ３３ｂと、一般入賞口３５ａに入球した遊技球を検出する一般入賞口スイッチ３５ｂ（右上）、３５ｃ（右下）、３５ｄ（左上）、３５ｅ（左下）とが接続されている。また、裏配線中継端子板６３を介して前面枠３が閉鎖していることを検出する前面枠閉鎖スイッチ３８と、意匠枠４ａ・４ｂが閉鎖していることを検出する意匠枠閉鎖スイッチ３９ａ、３９ｂと、が接続されている。第２始動口スイッチ３２ａ，普通図柄作動スイッチ４２ａ，カウントスイッチ３３ｂ，一般入賞口スイッチ３５ｂ，３５ｃ，３５ｄ，３５ｅも本発明の検出手段に相当する。
【００５３】
主制御装置５０の出力端には、遊技盤中継端子板６２を介して大入賞口３３ａの扉部材を駆動する大入賞口ソレノイド３３ｃと、普通電動役物４０の羽根部材を駆動する普通電役ソレノイド４０ｂと、図柄表示装置中継端子板６４を介して特別図柄を表示する第１特図表示装置２９と、第２特図表示装置３０と、特別図柄の保留数を表示する第１特図保留数表示装置２９ａと、第２特図保留数表示装置３０ａと、普通図柄を表示する普通図柄表示装置４１と、普通図柄の保留数を表示する普図保留数表示装置４１ａと、裏配線中継端子板６３および外部接続端子板６１を介してホールコンピュータ７０と、が接続されている。
【００５４】
主制御装置５０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１およびサブ統合制御装置５３に出力する。ここで主制御装置５０と払出制御装置５１とは双方向通信回路として構成され、主制御装置５０とサブ統合制御装置５３とは間に演出中継端子板６５を介して主制御装置５０からサブ統合制御装置５３への一方向通信回路として構成されている。
【００５５】
払出制御装置５１の入力端には、裏配線中継端子板６３を介して球タンク２２またはタンクレール２３内の遊技球が不足していることを検出する球切れスイッチ２２ａまたは２３ａと、裏配線中継端子板６３および払出中継端子板６６を介して払い出した遊技球を検出する払出スイッチ２４ｂと、各種端子板を介することなく下皿１３への経路に遊技球が多数あることを検出する満杯スイッチ１３ａと、が接続されている。払出制御装置５１の出力端には、裏配線中継端子板６３および払出中継端子板６６を介して遊技球を上皿へと払い出す払出モータ２４ａが接続されている
【００５６】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０および発射制御装置５２に出力する。ここで、払出制御装置５１と主制御装置５０とは双方向通信回路として構成され、払出制御装置５１と発射制御装置５２とは払出制御装置５１から発射制御装置５２への一方向通信回路として構成されている。
【００５７】
発射制御装置５２の入力端には、発射を停止するための発射停止スイッチ１９ａと、発射ハンドル１７に遊技者が触れていることを検出するタッチスイッチ２０ａと、が接続されている。発射制御装置５２の出力端には、遊技球を遊技領域２６へ発射するための発射モータ３６が接続されている。発射制御装置５２はＣＰＵ、ＲＯＭ、ＲＡＭを備えず、ＩＣ等で構成されたデジタル回路であり、入力される各種検出信号ならびに払出制御装置５１からの入力に基づいて発射モータ３６の駆動を制御している。
【００５８】
サブ統合制御装置５３の入力端には、遊技ボタン１４の操作を検出する遊技スイッチ１４ａと、入球振り分け装置１０１に配置された排出領域Ａへの遊技球の進入を検出する排出領域Ａスイッチ１０１ｂと、排出領域Ｂへの遊技球の進入を検出する排出領域Ｂスイッチ１０１ｃと、排出領域Ｃへの遊技球の進入を検出する排出領域Ｃスイッチ１０１ｄと、排出領域Ｄへの遊技球の進入を検出する排出領域Ｄスイッチ１０１ｅと、が接続されている。サブ統合制御装置５３の出力端には、意匠枠４ａ、４ｂおよび遊技盤８に備えられる各種ＬＥＤ・ランプ３７と、前面枠３およびスピーカユニット２１に備えられるスピーカ１０と、第１始動口３１へ入球した遊技球を貯留する貯留装置１００から１個の遊技球の貯留を解除するために駆動する貯留解除ソレノイド１００ａと、入球振り分け装置１０１内に配置された左右一対の可動片１０１ａを作動させる可動片駆動ソレノイドｆと、が接続されている。尚、サブ統合制御装置５３と主制御装置５０とは間に演出中継端子板６５を介した主制御装置５０からサブ統合制御装置５３への一方向通信回路として構成され、サブ統合制御装置５３と演出図柄制御装置５４ａとはサブ統合制御装置５３から演出図柄制御装置５４ａへの一方向通信回路として構成されている。
【００５９】
サブ統合制御装置５３はＣＰＵ、ＲＯＭ、ＲＡＭ等の電気部品を備えており、搭載するＲＯＭに記憶されたプログラムに従ってＣＰＵにて処理を実行し、入力される遊技スイッチ１４ａの入力ならびに主制御装置５０から入力されるコマンド（本発明の主制御装置から受信する信号に相当）に基づいて演出に関わる各種コマンド等を生成し、演出図柄ユニット５４の演出図柄制御装置５４ａに出力する。
【００６０】
また、サブ統合制御装置５３には、音量を調節する音量調節スイッチ１０ａが備えられ、音量調節スイッチ１０ａの状態（位置）を検出し、その検出結果とスピーカ１０へ送信する内容とを判断し、スピーカ１０から出力する音量をソフト的に制御するように構成されている。例えば、遊技に伴う演出音声やエラー報知の一部（払出し遅延報知、前面枠３、意匠枠４ａ、４ｂ等の枠開放／閉鎖報知など）の音声は、音量調節スイッチ１０ａの状態に応じて変更された音量でスピーカ１０から出力され、その他のエラー報知（特殊報知など）は音量調節スイッチ１０ａの状態に関わらず予め設定された音量でスピーカ１０から出力されるように構成することができる。
【００６１】
次に、遊技機の作動内容について説明する。本実施形態におけるパチンコ機は確率変動機として構成され、第１始動口３１及び第２始動口３２への遊技球入球に基づく当否判定（第１始動口スイッチ３１ａ又は第２始動口スイッチ３２ａでの遊技球の検出に起因して抽出された乱数値に基づいて特別遊技を実行するか否かの判定）は、通常（低）確率遊技状態と、該通常確率遊技状態に比べて大当りとなる確率が高い高確率遊技状態（確変状態）とのいずれかの遊技状態で実施される。本実施例では通常確率が１／３００、高確率が１／３０に設定されている。
【００６２】
また、普通電動役物４０（第２始動口３２）の作動契機と作動時間を変化させる開放延長機能を備えており、開放延長機能未作動時では、普通図柄の１回の当りに対して普通電動役物４０は０．２秒の開放動作を１回行い、開放延長機能作動時では、普通図柄の１回の当りに対して普通電動役物４０は１．８秒の開放動作を２回行うよう設定されている。また、開放延長機能が作動する遊技状態での第１及び第２特別図柄の変動パターン（変動時間）は、開放延長機能が未作動時の遊技状態で使用する変動パターン選択テーブルよりも平均変動時間が短くなるように設定された変動パターン選択テーブルを用いて選択される構成となっている。これにより、開放延長機能作動時の単位時間あたりの特別図柄の変動回数が、開放延長機能未作動時よりも増加する構成（時短機能）となっており、この時短機能は、開放延長機能の作動開始と終了の契機を同じくして作動する。
【００６３】
尚、開放延長機能作動時には、普通図柄の変動時間を短縮（単位時間当りの普通図柄の変動回数が増加）する時短機能も作動する構成となっている。具体的には、開放延長機能未作動時となる通常時の普通図柄の変動時間は６．２秒に設定され、開放延長機能作動時の普通図柄の変動時間は０．７秒に設定されている。これにより、開放延長機能作動時では単位時間当りの普通図柄の変動回数が増加し、普通電動役物４０の作動契機を大きく増加させている。これにより、単位時間当たりの普通電動役物４０への入球率が増加し、第２特別図柄の変動回数が増えるとともに持球の減少が抑えられる。
【００６４】
次に、図５を用いて、主制御装置５０が実行する始動入賞処理を説明する。始動入賞処理は、第１始動口３１、第２始動口３２に遊技球が入球したとき、又は普通図柄作動ゲート４２を遊技球が通過したときに取得する当否乱数等の種々の乱数（本発明の始動口への遊技球の入球に起因して取得した乱数に相当）を、保留記憶として主制御装置５０に格納（記憶）する（本発明の保留記憶手段に相当）とともに、記憶した乱数が予め設定された特定の値か否かを当否判定を実施する以前に確認する処理（本発明の先読み判定手段に相当）を行い、第１始動口３１及び第２始動口３２への入球に起因する各種コマンドを演出機器を制御するサブ統合制御装置５３に送信する処理となる。以後、第１始動口３１に遊技球が入球したときに格納される保留記憶を第１保留記憶、第２始動口３２に遊技球が入球したときに格納される保留記憶を第２保留記憶、普通図柄始動ゲート４２を遊技球が通過したときに格納される保留記憶を普図保留記憶として説明する。
【００６５】
本実施形態においては、普通図柄保留数表示装置４１ａ、第１特図保留数表示装置２９ａ、第２特図保留数表示装置３０ａによる各々の点灯数の最大個数は４個（最大保留記憶数が４個）となっているが、これに限るわけではなく、例えばそれぞれの最大記憶個数が８個であってもよい。また、それぞれの保留記憶数が０であっても、第１始動口３１、第２始動口３２に遊技球が入球したとき、又は普通図柄作動ゲート４２を遊技球が通過したときに取得される当否乱数等の種々の乱数は、最大値未満の記憶数がある場合と同様に主制御装置５０に格納される。
【００６６】
始動入賞処理を開始すると、第１始動口スイッチ３１ａが遊技球を検出したか否か判定する(Ｓ１０)。否定判定なら（Ｓ１０：ｎｏ）Ｓ４５に進み、肯定判定なら(Ｓ１０：ｙｅｓ）、主制御装置５０に格納されている第１保留記憶の数が上限数(＝４個)未満か否か判定する(Ｓ２０)。否定判定なら（Ｓ２０：ｎｏ）Ｓ４５に進み、肯定判定であれば(Ｓ２０：ｙｅｓ）、抽出した大当り判定用乱数、大当り図柄決定用乱数１、大当り図柄決定用乱数２、小当り図柄判定用乱数、リーチ決定用乱数、変動パターン決定用乱数を第１保留記憶として記憶し（本発明の保留記憶手段に相当）第１保留記憶の数を示す第１保留記憶カウンタに１を加算する（Ｓ２５）。
【００６７】
Ｓ２５に続いては、記憶した第１保留記憶の先読判定を行う（Ｓ３０）。具体的には、大当り判定用乱数の値が大当りを生起する値か否かを確認し、大当り値なら大当り図柄の種類を確認する。大当り判定がハズレなら、小当りを生起する値か否かを確認し、ハズレならリーチ決定用乱数がスーパーリーチとなる値か否かを確認する。スーパーリーチでなければ、リーチとなる値か否かを確認し、変動パターン決定用乱数の値から変動時間を確認する（本発明の先読み判定手段に相当）。上記判定を行うことによって、記憶した乱数値が、遊技者が大当りの期待が持てる特定の値（本発明の特定の値に相当）か否か（はずれでも大当りを期待させる演出が可能な否か）を判定する。
【００６８】
続いて、Ｓ３０の判定結果から第１先読判定コマンドを生成してサブ統合制御装置５３に送信し（Ｓ３５）、Ｓ２５で加算した第１保留記憶カウンタの値を示す第１保留数指示コマンドをサブ統合制御装置５３に送信する（Ｓ４０）。
【００６９】
Ｓ４０の処理、又はＳ１０、Ｓ２０の否定判定（Ｓ１０：ｎｏ、Ｓ２０：ｎｏ）に続いては、第２始動口スイッチ３２ａが遊技球を検出したか否か判定する(Ｓ４５)。否定判定なら（Ｓ４５：ｎｏ）Ｓ８０に進み、肯定判定なら(Ｓ４５：ｙｅｓ）、主制御装置５０に格納されている第２保留記憶の数が上限数(＝４個)未満か否か判定する(Ｓ５５)。否定判定なら（Ｓ５５：ｎｏ）Ｓ８０に進み、肯定判定であれば(Ｓ５５：ｙｅｓ）、抽出した大当り判定用乱数、大当り図柄決定用乱数１、大当り図柄決定用乱数２、小当り図柄判定用乱数、リーチ決定用乱数、変動パターン決定用乱数を第２保留記憶として記憶し第２保留記憶数を示す第２保留記憶カウンタに１を加算し（Ｓ６０）、S３０と同様に記憶した第２保留記憶の先読判定を行う（Ｓ６５）。
【００７０】
続いて、Ｓ６５の判定結果から第２先読判定コマンドを生成しサブ統合制御装置５３に送信し（Ｓ７０）、Ｓ６０で加算した第２保留記憶カウンタの値を示す第２保留数指示コマンドをサブ統合制御装置５３に送信して（Ｓ７５）、Ｓ８０に進む。
【００７１】
Ｓ８０では、普通図柄作動スイッチ４２ａが遊技球を検出したか否か判定する(Ｓ８０)。否定判定なら（Ｓ８０：ｎｏ）リターンに抜け、肯定判定なら(Ｓ８０：ｙｅｓ）、主制御装置５０に格納されている普図保留記憶数が上限値(＝４個)未満か否か判定する(Ｓ８５)。否定判定なら（Ｓ８５：ｎｏ）リターンに抜け、肯定判定であれば(Ｓ８５：ｙｅｓ）、抽出した当り判定用乱数と当り図柄決定用乱数とを普図保留記憶として記憶し、普図保留記憶数を示す普図保留記憶カウンタに１を加算し（Ｓ９０）、加算した普図保留記憶カウンタの値を示す普図保留記憶数指示コマンドをサブ統合制御装置５３に送信し（Ｓ９５）、リターンする。
【００７２】
サブ統合制御装置５３は第１及び第２保留記憶数指示コマンドを受信すると、受信したコマンドが示す保留記憶数に応じて演出図柄表示装置５４ｂ上で表示する各保留記憶数を変化させる制御を行う。また、本実施例では、演出図柄表示装置５４ｂ上では普通図柄の保留記憶数表示は行わないが、普図保留記憶数指示コマンドの受信に応じて表示する構成としてもよいし、普図保留記憶数指示コマンド自体を送信しない構成としてもよい。また、普図の先読判定を実施し判定結果をサブ統合制御装置に送信する構成も考えられる。これにより、普通電動役物４０の開放を期待させる先読予告の実施が可能となる。
【００７３】
次に、図６に示したフローチャートを用いて主制御装置５０が行う当否判定処理を説明する。この処理は、第１始動入賞検出スイッチ又は第２始動入賞検出スイッチでの遊技球の検出に起因して抽出された乱数値に基づいて特別遊技を実行するか否かを判定（大当りを生起させるか否かの当否判定）する処理となる（本発明の当否判定処理に相当）。
【００７４】
本処理を開始すると、特図の始動条件が成立しているか否か判定する（Ｓ１００）。この判定処理Ｓ１００では、大当り遊技中でないこと、第１特別図柄及び第２特別図柄が変動中又は確定表示中でないことを確認する。否定判定なら（Ｓ１００：ｎｏ）リターンに抜け、肯定判定なら（Ｓ１００：ｙｅｓ）、第２保留記憶が有るか否か判定する（Ｓ１０５）。肯定判定なら（Ｓ１０５：ｙｅｓ）、Ｓ１１５に進み、否定判定なら（Ｓ１０５：ｎｏ）第１保留記憶が有るか否か判定する（Ｓ１１０）。否定判定なら（Ｓ１１０：ｎｏ）リターンに抜け、肯定判定なら（Ｓ１１０：ｙｅｓ）、Ｓ１１５に進む。Ｓ１０５とＳ１１０の判定順により、第２保留記憶の当否判定を優先して実施する構成となっている。尚、本実施例では、特別図柄が複数（第１特別図柄と第２特別図柄）の構成となっているが、特別図柄を１つとした構成であっても本願発明の効果に何ら変わりないし、２種類の特別図柄が同時に変動する構成としても本願発明の効果に変わりはない。
【００７５】
Ｓ１１５では確変フラグの値が０か否か判定する（Ｓ１１５）。確変フラグは、主制御装置５０が記憶する値であり、値が「０」のときは、大当り確率が通常遊技状態中（通常確率）であることを、値が「１」のときは、確変遊技状態中（高確率）であることを主制御装置５０が判断するための値である。肯定判定なら（Ｓ１１５：ｙｅｓ）Ｓ１２０に進み、否定判定なら（Ｓ１１５：ｎｏ）高確率中の処理に進む。高確率中の処理は、大当り確率のみが異なる処理となるため説明は割愛する。Ｓ１２０では、保留記憶のシフト処理を行い（Ｓ１２０）、これにより最も古い保留記憶を当否判定の対象とするとともに、保留記憶数を示す保留記憶カウンタから１を減算する。
【００７６】
続く、大当り判定用乱数比較処理（Ｓ１２５）では、当否判定の対象とした保留記憶の大当り判定用乱数値と予め設定された当否判定テーブルとを比較して、判定対象の乱数値が当否判定テーブル内の判定値と一致するか比較する。当否判定テーブルは通常確率（低確率１／３００）用と高確率（１／３０）用の２種類のテーブルが設定してあり、当否判定時の遊技状態が通常遊技（確変フラグ「０」）であれば通常確率用の当否判定テーブルを用いて比較し、高確率の遊技状態（確変フラグ「１」）であれば高確率用の当否判定テーブルを用いて比較する。
【００７７】
続くＳ１３０の処理では、大当り判定用乱数の比較処理（Ｓ１２５）の結果が大当り（判定値と同一）であるか否か判定する（本実施例では１／３００）。肯定判定なら（Ｓ１３０：ｙｅｓ）、図柄モード設定処理を行う（Ｓ１３５）。図柄モード設定処理では、当否判定の対象とした保留記憶の種類（第１保留記憶又は第２保留記憶）と、判定対象となる保留記憶の大当り図柄決定用乱数１に基づいて、大当り遊技の内容と大当り遊技終了後の遊技状態を決定する図柄モードを設定する（Ｓ１３５）。続いて、設定した図柄モードの種類と判定対象となる保留記憶の大当り図柄決定用乱数２に基づいて大当り図柄選択処理を行う（Ｓ１４０）。これは、図柄モードの設定によって決定した大当りの種類（大当り遊技の内容と大当り遊技終了後の遊技状態）を大当り図柄によって報知するために、図柄モードの種類毎に設定された図柄郡の中から表示する図柄を決定する処理となる。
【００７８】
次にＳ１３５で設定した図柄モードに基づいてモードバッファ設定処理を行う（Ｓ１４５）。モードバッファは当否判定時に決定した大当り遊技終了後の遊技状態の内容を、該遊技状態を設定する大当り遊技終了時まで記憶する装置である（大当り遊技中は遊技状態を設定する確変フラグ及び時短フラグをクリアする必要があるため）。モードバッファとしては、具体的な遊技内容（確変機能および開放延長機能（時短機能）の作動とその作動回数）は記憶せず、複数種類の具体的な遊技内容のそれぞれに対応した値を記憶する構成となっている。
【００７９】
次に、Ｓ１３５で設定した図柄モードに基づいて大当り遊技の内容となる大入賞口の開放パターン設定処理を行い（Ｓ１５０）、当否判定の対象とした保留記憶のリーチ決定用乱数および変動パターン決定用乱数に基づいて、第１特別図柄表示装置２９又は第２特別図柄表示装置３０、及び演出図柄表示装置５４ｂに表示する図柄の変動時間となる変動パターンを、変動パターン選択テーブルから選択する（Ｓ１５５）（図５参照）。
【００８０】
次に、選択した大当り図柄および変動パターンの情報を、変動指示信号（変動指示コマンド）としてサブ統合制御装置５３へ送信する（Ｓ１６０）。この情報を受信したサブ統合制御装置５３からの指示に基づいて、演出図柄制御装置５４ａは演出図柄表示装置５４ｂを制御し、大当り図柄および変動パターンの情報に対応する図柄の変動表示を開始する。サブ統合制御装置５３への送信とほぼ同時に、主制御装置５０は、第１特別図柄表示装置２９又は第２特別図柄表示装置３０を直接制御して特別図柄の変動を開始する。
【００８１】
Ｓ１３０が否定判定、即ちハズレなら（Ｓ１３０：ｎｏ）、大当り判定用乱数の比較処理（Ｓ１２５）の結果が小当りであるか否か判定し（１／１５０）（Ｓ１６５）、肯定判定なら（Ｓ１６５：ｙｅｓ）、小当り図柄を選択し（Ｓ１７０）、続いて小当り遊技の開放パターン設定処理を行い（Ｓ１５０）、小当り図柄に対応する変動パターン選択処理を行い（Ｓ１５５）（図５参照）、小当り図柄および変動パターンの情報となる変動指示信号（変動指示コマンド）をサブ統合制御装置５３へ送信する（Ｓ１６０）。この情報を受信したサブ統合制御装置５３からの指示に基づき演出図柄制御装置５４ａは演出図柄表示装置５４ｂを制御し、小当り図柄および変動パターンの情報に対応する図柄の変動表示を開始する。サブ統合制御装置５３への送信とほぼ同時に、主制御装置５０は、第１特図表示装置２９又は第２特図表示装置３０を直接制御して特別図柄の変動を開始する。
【００８２】
Ｓ１６５が否定判定なら（Ｓ１６５：ｎｏ）、ハズレ図柄を選択し（Ｓ１７５）、続いてハズレ図柄に対応する変動パターン設定処理を行い（Ｓ１５５）（図５参照）、ハズレに関する図柄及び変動パターンの情報となる変動指示信号（変動指示コマンド）をサブ統合制御装置５３へ送信する（Ｓ１６０）。この情報を受信したサブ統合制御装置５３からの指示に基づき演出図柄制御装置５４ａは演出図柄表示装置５４ｂを制御し、ハズレ図柄および変動パターンの情報に対応する図柄の変動表示を開始する。サブ統合制御装置５３への送信とほぼ同時に主制御装置５０は、第１特図表示装置２９又は第２特図表示装置３０を直接制御して特別図柄の変動を開始する。
【００８３】
以上が当否判定処理の説明となる。本実施例では、図５に示したように、始動入賞処理時に当否判定結果を報知する図柄の種類と変動パターンを選択する乱数（大当り図柄決定用乱数１、大当り図柄決定用乱数２、小当り図柄判定用乱数、リーチ決定用乱数、変動パターン決定用乱数）を取得したが、これらの乱数を当否判定処理時に取得する構成であってもよい。
【００８４】
次に、図８に示したフローチャートを用いて、サブ統合制御装置５３が実行する変動指示コマンド受信処理を説明する。本処理では、主制御装置５０から受信する変動指示コマンドの種類と、該受信時にサブ統合制御装置５３が抽出する乱数値とに応じて、演出図柄表示装置５４ｂ上に表示する疑似図柄の演出態様を選択して変動表示の開始を指示する処理を主としながら、選択した疑似図柄の演出態様が、所定の変動態様（例えば、ノーマルリーチ、ノーマルロングリーチ、スーパーリーチ）（本発明の所定の変動態様又は大当りが生起する期待度が高い変動態様に相当）であった場合は、所定の確率で演出図柄表示装置５４ｂで実施している演出モードの変更を可能とするために、貯留装置１００から１個の遊技球の貯留を解除して遊技ボタン１４の操作を用いた振り分け操作を有効とする処理を行う。従って本処理は、本発明の貯留解除手段と振り分け手段の一部を含む。
【００８５】
本処理を開始すると、主制御装置５０から変動指示コマンドを受信したか否か判定する（Ｓ２００）。否定判定なら（Ｓ２００:ｎｏ）リターンし、肯定判定なら（Ｓ２００：ｙｅｓ）、振分乱数１を抽出し（Ｓ２０５）、サブ統合制御装置５３が備える保留球数カウンタのデクリメントを行い（Ｓ２１０）、受信した変動指示コマンドの種類とＳ２０５で抽出した振分乱数１とに応じて、サブ統合制御装置５３が記憶する複数種類の演出変動態様の中から演出図柄表示装置５４ｂに表示する１つの演出変動態様と確定表示する演出図柄とを選択する（Ｓ２１５）。
【００８６】
Ｓ２１５に続いては、Ｓ２１５で選択した演出態様が、ノーマルリーチ、ノーマルロングリーチ、スーパーリーチのいずれかであるか否か判定し（Ｓ２２０）、肯定判定なら（Ｓ２２０：ｙｅｓ）、Ｓ２０５で抽出した振分乱数値が各変動態様に応じた演出モード変更の実施値か否か判定する（Ｓ２２２）。この場合、ノーマルリーチ＜ノーマルロングリーチ＜スーパーリーチの順に、信頼度が高い当否判定結果の示唆を行う演出モードが選択される割合が高くなる。Ｓ２２２が肯定判定なら（Ｓ２２２：ｙｅｓ）、演出モード決定処理を行う（Ｓ２２５）、演出モード決定処理では、排出領域Ａ，Ｂ，Ｃ，Ｄのそれぞれにどの演出モードを対応させるかを決定する。続いてのモード移行演出指示（Ｓ２３０）では、Ｓ２２５で決定した各排出領域と演出モードとの対応関係を、演出図柄表示装置５４ｂに表示する指示を行い（表示内容は図を用いて後述）、貯留解除ソレノイド１００ａの駆動を制御して貯留手段１００に貯留されている遊技球の貯留を１個解除し（貯留解除手段）（Ｓ２３５）、可動片操作有効フラグに１をセットし（Ｓ２４０）、可動片操作有効タイマをスタートさせる（Ｓ２４５）。
【００８７】
可動片操作有効フラグは、サブ制御装置が記憶する値であり、値が１なら、入賞振り分け装置１０１内の可動片１０１ａを作動させるための遊技ボタン１４の操作が有効であることを、値が０なら、遊技ボタン１４の操作が無効であることをサブ統合制御装置５３が判断する。
【００８８】
Ｓ２４５、またはＳ２２０の否定判定（Ｓ２２０：ｎｏ）に続いては、Ｓ２１５で選択した演出変動態様及び確定図柄を演出図柄表示装置５４ｂに表示する指示信号を演出図柄制御装置５４ａに送信し（Ｓ２５０）リターンする。
【００８９】
以上がサブ統合制御装置５３が実行する変動指示コマンド受信処理となり、受信した変動指示コマンドに応じて選択した演出変動態様がスーパーリーチＡであれば、どの排出領域に遊技球が入ればどの演出モードに移行するかを決定し、該決定内容を報知するモード移行演出を行い、貯留解除ソレノイド１００ａを作動させて１個の遊技球の貯留を解除し、遊技ボタン１４操作に応じた可動片１０１ａの作動を有効とし、有効時間を掲示するタイマをスタートさせる処理を行う。
【００９０】
次に、図９に示したフローチャートを用いて、サブ統合制御装置５３が実行する遊技ボタン操作処理を説明する。本処理は、可動片操作有効フラグがたった時点、即ち貯留玉が１個解除された時点から遊技ボタンスイッチ１４ａの操作に応じて可動片１０１ａを作動させる可動片駆動ソレノイド１０１ｆを制御する処理となり、本発明の振り分け手段の一部に相当する。
【００９１】
本処理を開始すると、可動片操作有効フラグが１か否か判定し（Ｓ３００）、否定判定なら（Ｓ３００：ｎｏ）リターンし、肯定判定なら（Ｓ３００：ｙｅｓ）、遊技ボタンスイッチ１４ａの信号を検出したか否か判定し（Ｓ３０５）、否定判定なら（Ｓ３０５：ｎｏ）リターンし、肯定判定なら（Ｓ３０５：ｙｅｓ）、可動片駆動ソレノイド１０１ｆを駆動させて左右一対の可動片１０１ａを作動させて（Ｓ３１０）リターンする。
【００９２】
以上がサブ統合制御装置５３が実行する遊技ボタン操作処理となるが、操作有効期間中は、遊技ボタン１４の操作を何回でも行うことができる。また、遊技ボタン１４を押し続けると、可動片１０１ａは上位置で停止したままとなるため、ピンボールのように貯留を解除された遊技球を好みの演出モードの排出領域に誘導することが容易となる。
【００９３】
次に、図１０を用いて、サブ統合制御装置５３が実行する遊技ボタン操作有効期間処理を説明する。本処理は、遊技ボタン１４の操作有効期間中にいずれかの排出領域スイッチが遊技球を検出すると、Ｓ２２５で決定した内容に応じて実施する演出モードを決定し（現状と同じであれば変更しない）、操作有効期間を終了させる。本処理は、本発明の演出モード決定手段に相当し、遊技球が振り分けられた前記排出領域の種類に対応して前記演出モードを決定する処理を行う。
【００９４】
本処理を開始すると、可動片操作有効フラグが１か否か判定し（Ｓ３５０）、否定判定なら（Ｓ３５０：ｎｏ）リターンし、肯定判定なら（Ｓ３５０：ｙｅｓ）、Ｓ２４５でセットした操作有効タイマが所定値に達したか否か判定する（Ｓ３５５）。Ｓ３５５が否定判定、即ち、未だ遊技ボタン１４による可動片１０１ａの操作が可能なら（Ｓ３５５：ｎｏ）、排出領域Ａスイッチ１０１ｂが遊技球を検出したか否か判定し（Ｓ３７０）、肯定判定なら（Ｓ３７０：ｙｅｓ）、Ｓ２２５で決定した排出領域Ａに対応する演出モードに変更する指示信号を演出図柄制御装置５４ａに送信し（Ｓ３７５）、Ｓ３６０に進む。
【００９５】
Ｓ３７０が否定判定なら（Ｓ３７０：ｎｏ）、排出領域Ｂスイッチ１０１ｃが遊技球を検出したか否か判定し（Ｓ３８０）、肯定判定なら（Ｓ３８０：ｙｅｓ）、Ｓ２２５で決定した排出領域Ｂに対応する演出モードに変更する指示信号を演出図柄制御装置５４ａに送信し（Ｓ３８５）、Ｓ３６０に進む。Ｓ３８０が否定判定なら（Ｓ３８０：ｎｏ）、排出領域Ｃスイッチ１０１ｄが遊技球を検出したか否か判定し（Ｓ３９０）、肯定判定なら（Ｓ３９０：ｙｅｓ）、Ｓ２２５で決定した排出領域Ｃに対応する演出モードに変更する指示信号を演出図柄制御装置５４ａに送信し（Ｓ３９５）、Ｓ３６０に進む。Ｓ３８０が否定判定なら（Ｓ３８０：ｎｏ）、排出領域Ｄスイッチ１０１ｅが遊技球を検出したか否か判定し（Ｓ４００）、肯定判定なら（Ｓ４００：ｙｅｓ）、Ｓ２２５で決定した排出領域Ｄに対応する演出モードに変更する指示信号を演出図柄制御装置５４ａに送信し（Ｓ４０５）、Ｓ３６０に進む。
【００９６】
Ｓ３５５の肯定判定（Ｓ３５５：ｙｅｓ）、又はＳ３７５，Ｓ３８５，Ｓ３９５，Ｓ４０５に続いては、可動片操作有効フラグに０をセットし（Ｓ３６０）、操作有効タイマをクリア（初期化）して（Ｓ３６５）リターンする。
【００９７】
以上がサブ統合制御装置５３が実行する遊技ボタン操作有効期間処理となる。図には記載されていないが、貯留が解除された遊技球が操作有効期間が終了してから排出領域スイッチに検出されても、該スイッチの種類に応じて演出モードを移行する。
【００９８】
次に、図１１から図１３を用いて、実施例１において演出図柄表示装置５４ｂで表示する演出例について説明する。図１１は、Ｓ２３０の指示に応じて表示されるモード移行演出の表示例となる。この場合の演出図柄表示装置５４ｂの表示は、画面上部が左中右の疑似図柄が変動表示を行う疑似図柄表示部となり、画面下部がモード移行演出部となる。
【００９９】
モード移行演出部では、入賞球振り分け装置１０１内のどの排出領域に遊技球が入るとどの演出モードに移行するかを報知する演出表示を行う。記載した演出例では、モード移行演出部の具体的な表示内容は、入賞振り分け装置１０１におけるＡＢＣＤの排出領域の位置を示す略図と、「ボタン操作で好みのモードに変えるチャンス」の文字列と、ＡＢＣＤのそれぞれに対応する演出モード名が表示され、図例ではＡ：一発告知モード、Ｂ：多演出モード、Ｃ：ノーマルモード、Ｄランダムが記載されている。
【０１００】
本実施例では、Ｄのランダムは毎回固定だが、ＡＢＣに表示される演出モードは、Ｓ２２５の決定内容に応じてモード移行演出が行われる毎に入れ替わる。従って、可動片によって狙う排出領域の位置もモード移行演出が行われる毎に変化することにより、好みの演出モードを続ける場合は、毎回異なる排出領域に遊技球を入れなければならず、好みの演出モードを続けたい場合には遊技ボタン１４を用いた振り分け操作自体に集中することで遊技性が増す。また、振り分け操作に失敗した場合は、好みでない演出モードに移行してしまうが、他の演出モードが経験できることにより、遊技機自体に飽きることを抑止できる。
【０１０１】
図１２と図１３は、各演出モード実施時の表示例となる。図１２の（２）はノーマルモード（図１１（１）で排出領域Ｃに対応）を示す表示例となり、本実施例では、戦闘機が飛行している空の背景がそれにあたる。このノーマルモードでは、予告の出現頻度は一般的な設定となっている。（３）は、少演出モードを示す表示例となり、本実施例では、格闘家が動き回る野原の背景がそれにあたる。この少演出モードでは、ノーマルモードに比べ予告の出現頻度を低く設定している。
【０１０２】
図１３の（４）は、多演出モード（図１１（１）で排出領域Ｂに対応）を示す表示例となり、本実施例では、レーシングカーが走行するサーキットの背景がそれにあたる。この多演出モードでは、ノーマルモードに比べ予告の出現頻度を高く設定している。また、Ａと記されたレーシングカーの走行順位が大当り期待度を示唆する構成となっている。従って、この多演出モードは、本願発明の大当りの期待度を示唆する演出モードに相当する。
【０１０３】
図１３の（５）は、一発告知モード（図１１（１）で排出領域Ａに対応）を示す表示例となり、本実施例では、ノーマルモードと同様に戦闘機が飛行する空の背景がそれにあたるが、飛行する戦闘機の種類と表示位置（飛行位置）はノーマルモードと異なる。変動が開始された時点で疑似図柄表示部が縮小して画面左上部に移動することで後ろを飛行する戦闘機（ノーマルモードの戦闘機）からミサイルが発射されれば大当り確定演出となる。
【０１０４】
以上が実施例１の説明となる。本実施例におけるモード移行演出では、ＡＢＣＤの４個の排出領域のそれぞれに異なる演出モードを対応させたが、一つの演出モードを複数の排出領域に対応させる構成としてもよい。この構成により振り分け操作の難易度を変化させることができる。また、演出モードの種類と数は実施例と同一に限るわけではなく、めったに出現しない（Ｓ２２５の処理で排出領域との対応を決定する頻度が低い）演出モードを備える構成としてもよい。このような構成を備えることで、さらに飽きが来ない効果を発揮する。
【実施例２】
【０１０５】
次に実施例２について説明する。本実施例に於いて遊技機を構成する部品とその電気的接続は実施例１と共通である。従って、重複する部分は実施例１を援用する。
【０１０６】
実施例１では、貯留装置１００に貯留された遊技球を解除する契機をスーパーリーチＡの実施としたが、本実施例では、主制御装置５０が始動入賞処理時に行う先読み判定の結果に基づいて遊技球を解除する構成となっている。以下に、実施例１とは相違する箇所を図を用いて説明する。
【０１０７】
図１４は、サブ統合制御装置５３が実行する保留数指示コマンド受信処理を示すフローチャートとなる。本処理を開始すると、主制御装置５０から保留数指示コマンドを受信したか否か判定する（Ｓ５００）。否定判定なら（Ｓ５００：ｎｏ）、リターンし、肯定判定なら（Ｓ５００：ｙｅｓ）、保留数カウンタをインクリメントし（Ｓ５０５）、演出図柄制御装置５４ａに保留数カウンタに応じた表示を指示する保留数表示信号を送信し（Ｓ５１０）、リターンする。なお、本処理は、第１保留記憶と第２保留記憶とで別々に同一の処理が行われる。この処理により、演出図柄表示装置５４ｂの画面に第１保留記憶数と第２保留記憶数との数が遊技者に認識可能に表示される。
【０１０８】
次に、図１５を用いて、サブ統合制御装置５３が実行する先読モード変更処理を説明する。本処理は、主制御装置５０から受信した先読み判定コマンド（Ｓ３５、又はＳ７０）の内容に基づいて、実施例１の図８のＳ２２５以降の処理を行う処理となる。
【０１０９】
本処理を開始すると、主制御装置５０から先読み判定コマンドを受信したか否か判定する（Ｓ５５０）。否定判定なら（Ｓ５５０:ｎｏ）リターンし、肯定判定なら（Ｓ５５０：ｙｅｓ）、振分乱数２を抽出し（Ｓ５５５）、受信した先読み判定コマンドの内容が大当りとなるものか否か判定し（Ｓ５６０）、肯定判定（本願発明の特定の値に相当）なら（Ｓ５６０：ｙｅｓ）、Ｓ５５５で抽出した振分乱数２の値が大当り判定時に演出モードの変更を行う実施値か否か判定し（Ｓ５６５）否定判定なら（Ｓ５６５：ｎｏ）リターンする。
【０１１０】
Ｓ５６０が否定判定なら（Ｓ５６０：ｎｏ）、受信した先読み判定コマンドの内容がスーパーリーチ以上となるもの（図７参照。変動パターン８以上）か否か判定し（Ｓ５７０）、肯定判定（本願発明の特定の値に相当）なら（Ｓ５７０：ｙｅｓ）、Ｓ５５５で抽出した振分乱数２の値がスーパーリーチ以上判定時に演出モードの変更を行う実施値か否か判定し（Ｓ５７５）否定判定なら（Ｓ５７５：ｎｏ）リターンする。
【０１１１】
Ｓ５６５の肯定判定（Ｓ５６５：ｙｅｓ）、又はＳ５７５の肯定判定（Ｓ５７５：ｙｅｓ）に続いては、実施例１の図８のＳ２２５以降と同一の処理を行い、演出図柄表示装置５４ｂで実施するモード移行演出の内容を決定し、貯留装置１００に貯留された１個の遊技球の貯留を解除し、遊技ボタン１４の操作（可動片１０１ａの作動）を有効とする。
【０１１２】
以上が、先読み判定結果に基づいてサブ統合制御装置５３が実行する先読みモード変更処理となり、本処理によって開始する実施例２におけるモード移行演出を図１６を用いて説明する。図１６に示す演出図柄表示装置５４ｂの画面構成は、図１１を用いて説明した実施例１のモード移行演出と同一となるが、排出領域ＡＢＣＤに対応する演出モードの内容が異なるものとなり、その内容は先読み判定に関連した演出を行う演出モードを対応させたものとなる。先読み判定は保留記憶時に実行されるため、実施する演出モードの内容は、実施例１のように変動表示中の図柄の大当り期待度を示唆するのではなく、表示中のいずれかの保留記憶の大当り期待度を示唆する演出となる。
【０１１３】
具体的な表示内容は、本実施例でも画面上部が左中右の疑似図柄が変動表示を行う疑似図柄表示部となり、画面下部が実施例１と同一構成のモード移行演出部となる。本実施例においても、排出領域ＡＢＣＤのそれぞれに対応する演出モード名が表示され、図例では、Ａ：先読みモード１、Ｂ：先読みモード２、Ｃ：現状維持モード、Ｄランダムが記載されている。
【０１１４】
本実施例においては、排出領域Ｄに遊技球が侵入した場合、演出モードは遊技球の進入タイミングに応じてランダムに選択される構成となり、偶然に遊技者の好みの演出モードが選択される場合もあるが、遊技者の好みではない演出モードが選択される確率の方が高いことになる。従って、ＡＢＣのいずれかに遊技者の好みの演出モードが表示されていれば、遊技者は積極的に遊技ボタン１４を用いた振り分け操作を行う。
【０１１５】
ＡＢＣに表示される演出モードは、Ｓ５８０の決定内容に応じてモード移行演出が行われる毎に入れ替わる。従って、可動片によって狙う排出領域の位置もモード移行演出が行われる毎に変化することにより、好みの演出モードを続ける場合は、毎回異なる排出領域に遊技球を入れなければならず、好みの演出モードを続けたい場合には遊技ボタン１４を用いた振り分け操作自体に集中することで遊技性が増す。また、振り分け操作に失敗した場合は、好みでない演出モードに移行してしまうが、他の演出モードが経験できることにより、遊技機自体に飽きることを抑止できる。
【０１１６】
本実施例では、演出例にもあるように、大当りが生起する期待度が高い保留記憶があるか否かを示唆する演出モードである先読みモードを２種類（先読みモード１と先読みモード２）備えている。図１７（２）（３）は、先読みモード１の表示演出例であり、（２）は、大当り判定に基づいて実施される場合の表示例となる。（３）は、主にスーパーリーチ判定に基づいて実施されるが、（２）もスーパーリーチ判定に基づいて実施される場合があり、これが（２）のガセパターンとなる。図に示すように先読みモード１は、文字列の表示によって演出を行う。
【０１１７】
図１８（４）（５）は、先読みモード２の表示演出例であり、（４）は、大当り判定に基づいて実施される場合の表示例となる。（５）は、主にスーパーリーチ判定に基づいて実施されるが、（４）もスーパーリーチ判定に基づいて実施される場合があり、これが（４）のガセパターンとなる。図に示すように先読みモード２は、背景の変化や出現するキャラクタの種類によって演出を行う。
【０１１８】
次に、図１９を用いて、演出図柄表示装置５４ｂで表示する先読み判定を貯留玉解除の契機としたその他の演出例について説明する。この演出も、先読み判定結果に基づいたモード移行演出として実施され、遊技者の操作に応じて振り分けられた遊技球の進入先に応じて演出モードが決定する。但し、決定した演出モードに変更するタイミングは当該演出の元となる先読み判定を行った保留記憶が変動表示を開始する時点となり、該保留記憶を示す画面最下部の保留記憶数表示領域の保留図柄は、モード移行演出が開始されると図に示す先読み演出図柄として表示され、遊技球の振り分けにより演出モードが決定すると、決定した演出モードの種類に応じて先読み演出図柄の態様が変化する。
【０１１９】
具体的には、貯留解除された遊技球が遊技者の遊技ボタン１４操作によっていずれかの排出領域に入球すると、先読み演出図柄として表示されていた★から、入球した演出モードを示す態様に変化する。図の例では、排出領域Ａ（セクシーモード）に入球すると保留図柄はＳの態様に変化し、排出領域Ｃ（バトルモード）に入球すると保留図柄はＢの態様に変化する。また、排出領域Ｄ（ランダム）に入球すると保留図柄はＲの態様に変化し、排出領域Ｂ（現状維持）に入球した場合は★の態様から変化しない。
【０１２０】
以上が実施例の説明となる。貯留解除の契機を所定の変動態様の実施と先読み判定で実施例１と実施例２で分けて説明したが、両方を含む構成としても何ら問題ない。また、貯留解除の契機を先読み判定の結果に基づくものとした場合、貯留を解除するタイミングは、判定コマンドを受信したとき、即ち新たな保留記憶が発生した時点とするのではなく、該保留記憶発生時から該保留記憶の変動開始時までの期間においてランダムとしてもよく、それにより、大当りの期待度が高い保留記憶がどの保留記憶かを特定するのを困難とすることで貯留解除時の全ての保留記憶に対して期待感が発生し遊技性が増す。また、先読み対象の保留記憶が発生してから以降の変動表示開始時に貯留解除を行ってもよい。
【０１２１】
また、貯留を解除してから所定時間内にいずれの排出領域にも遊技球が進入しなかった場合は、可動片１０１ａの動作を無効にすることによって、排出領域Ｄに強制的に遊技球を誘導する構成となるが、この場合の排出領域Ｄには、時間内に振分されなかった場合の演出モードを設定する構成としてもよい。
【０１２２】
また、貯留解除の契機を特別図柄が小当り図柄で確定した場合としてもよく、この場合に選択可能となる演出モードの中には、例えば、所定の演出で貯めたポイントが所定数になった場合、又は所定ゲーム数が継続した場合に実行中の遊技状態が確変状態か否かを報知する演出モードを備える構成としてもよい。また、遊技者の操作に応じた可動片１０１ａの作動によって、遊技球の進入が容易な排出領域と遊技球の進入が困難な排出領域とを備え、入球が困難な排出領域に遊技球を進入させることに成功した場合は、容易に進入させることが可能な排出領域に遊技球が進入した場合よりも遊技者にとってより価値のある情報が表示される演出モードが実施される構成としてもよく、これらの構成を付加することで、遊技の興趣をさらにますことができる。
【産業上の利用可能性】
【０１２３】
以上のように、本発明の弾球遊技機によれば、既に遊技の進行に関わる検出を全て終了した遊技球を貯留する貯留装置と、該貯留装置から解除された遊技球の遊技者の操作に応じた排出振り分けによって演出モードを決定することにより、複数の演出モードを備えることによる効果を好適に発揮することが可能となる。従って、遊技者が操作可能な排出球の振り分け手段を備えた弾球遊技機に適用することができる。
【符号の説明】
【０１２４】
８    遊技盤
１４    遊技ボタン
１４ａ  遊技スイッチ
３１    第１始動口
３２    第２始動口
５０    主制御装置
５３    サブ統合制御装置
５４ａ  演出図柄制御装置
５４ｂ  演出図柄表示装置
１００    貯留装置
１００ａ  貯留解除ソレノイド
１０１    入賞振り分け装置
１０１ａ  可動片（左右）
１０１ｂ  排出領域Ａスイッチ
１０１ｃ  排出領域Ｂスイッチ
１０１ｄ  排出領域Ｃスイッチ
１０１ｅ  排出領域Ｄスイッチ
１０１ｆ  可動片駆動ソレノイド
【図１】
0006442665.tif 000002
【図２】
0006442665.tif 000003
【図３】
0006442665.tif 000004
【図４】
0006442665.tif 000005
【図５】
0006442665.tif 000006
【図６】
0006442665.tif 000007
【図７】
0006442665.tif 000008
【図８】
0006442665.tif 000009
【図９】
0006442665.tif 000010
【図１０】
0006442665.tif 000011
【図１１】
0006442665.tif 000012
【図１２】
0006442665.tif 000013
【図１３】
0006442665.tif 000014
【図１４】
0006442665.tif 000015
【図１５】
0006442665.tif 000016
【図１６】
0006442665.tif 000017
【図１７】
0006442665.tif 000018
【図１８】
0006442665.tif 000019
【図１９】
0006442665.tif 000020